(57)【要約】【課題】積み重ねて形成した壁面パネルが盛土材の土圧によって変形しない盛土構造物およびその構築方法を提供することである。【解決手段】盛土構造物１は、斜面地山２の下側の基礎３に複数のプレキャストコンクリートパネル４が積み重ねられた擁壁５が形成され、該擁壁５と斜面地山２との間には盛土材６が多段状に積層された盛土層７が形成され、該盛土層７と擁壁５との間には土圧軽減緩衝材９が充填され、盛土層７には擁壁５からのアンカー材１０が埋設されている。【選択図】図１
2007277880.tif 000002
【特許請求の範囲】
【請求項１】
斜面地山の下部における基礎に複数のプレキャストコンクリートパネルが積み重ねられた擁壁が形成され、該擁壁と斜面との間には盛土材が多段状に積層された盛土層が形成され、該盛土層と擁壁との間には土圧軽減緩衝材が充填され、盛土層には擁壁からのアンカー材が埋設されたことを特徴とする盛土構造物。
【請求項２】
土圧軽減緩衝材は気泡混合土、発泡材またはウレタン材であることを特徴とする請求項１に記載の盛土構造物。
【請求項３】
アンカー材はアンボンド鋼線と支圧板とからなることを特徴とする請求項１または２に記載の盛土構造物。
【請求項４】
斜面地山の下部における基礎にプレキャストコンクリートパネルで擁壁を形成する工程と、該擁壁に斜面地山側へ延びるアンカー材を設置する工程と、擁壁から適宜間隙部を形成するようにして盛土材を投入する工程と、該適宜間隙部に土圧軽減緩衝材を充填する工程と、この土圧軽減緩衝材と盛土材との上面に補強材を敷設する工程と、上記の全工程を順次繰り返して所定高さの擁壁と、盛土材を多段状に積層した盛土層とを形成することを特徴とする盛土構造物の構築方法。
【請求項５】
土圧軽減緩衝材は気泡混合土、発泡材またはウレタン材であることを特徴とする請求項４に記載の盛土構造物の構築方法。
【発明の詳細な説明】
【技術分野】
【０００１】
本願発明は盛土構造物およびその構築方法に関するものである。
【背景技術】
【０００２】
盛土構造物としては、例えば特開２００２−２４２１８６号の発明が知られている。この盛土構造物は斜面地山の下部における基礎ブロックに壁面パネルが積み重ねられ、この壁面パネルと斜面地山との間に、補強材を介在させた盛土材が多段状に積層されて構成されている。
【特許文献１】特開２００２−２４２１８６号公報
【発明の開示】
【発明が解決しようとする課題】
【０００３】
しかし、上記の盛土構造物は、積み重ねて形成された壁面パネルが盛土材の土圧によって変形するという問題があった。
【０００４】
本願発明はこれらの問題に鑑みてなされたものであり、その目的は、積み重ねて形成された壁面パネルが盛土材の土圧によって変形しない盛土構造物およびその構築方法を提供することである。
【課題を解決するための手段】
【０００５】
以上の課題を解決するための盛土構造物は、斜面地山の下側の基礎地山に複数のプレキャストコンクリートパネルが積み重ねられた擁壁が形成され、該擁壁と斜面との間には盛土材が多段状に積層された盛土層が形成され、該盛土層と擁壁との間には土圧軽減緩衝材が充填され、盛土層には擁壁からのアンカー材が埋設されたことを特徴とする。また土圧軽減緩衝材は気泡混合土、発泡材またはウレタン材であることを含む。またアンカー材はアンボンド鋼線と支圧板とからなることを含むものである。
盛土構造物の構築方法は、斜面地山の下側の基礎にプレキャストコンクリートパネルで擁壁を形成する工程と、該擁壁に斜面地山側へ延びるアンカー材を設置する工程と、擁壁から適宜間隙部を形成するようにして盛土材を投入する工程と、該適宜間隙部に土圧軽減緩衝材を充填する工程と、この土圧軽減緩衝材と盛土材との上面に補強材を敷設する工程と、上記の全工程を順次繰り返して所定高さの擁壁と、盛土材を多段状に積層した盛土層とを形成することを特徴とする。また土圧軽減緩衝材は気泡混合土、発泡材またはウレタン材であることを含むものである。
【発明の効果】
【０００６】
盛土層と擁壁との間に土圧軽減緩衝材が充填されたことにより、擁壁へ作用する盛土層の土圧を軽減することができる。また盛土層に擁壁から延びたアンカー材が埋設されたことにより、擁壁と盛土層との接合が良好になる。
【発明を実施するための最良の形態】
【０００７】
以下、本願発明の盛土構造物およびその構築方法の実施の形態を図面に基づいて説明する。はじめに盛土構造物の実施の形態について説明し、次に盛土構造物の構築方法の実施の形態について説明するが、各実施の形態において同じ構成は同じ符号を付して説明する。
【０００８】
盛土構造物１は、図１に示すように、斜面地山２の下部における基礎３にプレキャストコンクリートパネル（以下ＰＣパネルという）４が積み重ねられてなる擁壁５と、該擁壁５と斜面地山２との間に盛土材６が積層されてなる盛土層７と、該盛土層７と擁壁５との適宜間隙部８に充填された土圧軽減緩衝材９と、擁壁５から盛土層７に延びたアンカー材１０とから構成されている。
【０００９】
斜面地山２の下部に形成されたコンクリート基礎３は擁壁５を支持するものであり、現場打ちコンクリートまたはプレキャストコンクリートにより形成され、アンカーボルトなどの定着部材１１によって地盤に固定されている。
【００１０】
このコンクリート基礎３にはプレート１２とナット１３とで連結部材１４の下端部が固着され、該下端部がフープ筋１５を定着して埋設されている。この連結部材１４は、例えばネジ節異形鋼棒であり、コンクリート基礎３に積み重ねられたＰＣパネル４の貫通孔１６に挿入され、最上段のＰＣパネル４において所定の緊張力で緊張されて定着されている。この連結部材１４はネジ節異形鋼棒の他に、ＰＣ鋼棒、ＰＣ鋼線、ＰＣ鋼撚り線などの高張力鋼材が使用される。
【００１１】
ＰＣパネル４は軽量コンクリートで形成された縦１ｍ、横２ｍの大きさのものであり、背面に三つの補強リブ１７が形成され、中央部の補強リブ１７には上記連結部材１４を挿入する貫通孔１６が形成されている。この貫通孔１６の下部には連結ナットを収納するスペース１９が、上部にはプレートを収納するスペース１９がそれぞれ形成されている。
【００１２】
またＰＣパネル４の上面には嵌合突起２０が、下面には嵌合凹溝２１がそれぞれ形成され、この嵌合凹溝２１に、下側に位置したＰＣパネル４の嵌合突起２０が嵌合されるとともに、上面の嵌合突起２０が、上側に位置したＰＣパネル４の嵌合凹溝２１に嵌合されてＰＣパネル４同士が積み重ねられ、これらが貫通孔１６に挿入された連結部材１４によってプレストレスを付与されて連結されている。
【００１３】
一方、ＰＣパネル４の一側面には半円形の嵌合突起２２が、他側面には半円形の嵌合凹溝２３がそれぞれ形成され、この嵌合凹溝２３に、右隣に位置したＰＣパネル４の嵌合突起２２が嵌合されるとともに、嵌合突起２２が左隣に位置したＰＣパネル４の嵌合凹溝２３に嵌合されてＰＣパネル４同士が横方向で接合され、この接合部を中心に回転できるようになっている。
【００１４】
このように複数のＰＣパネル４が上下左右に接合されて連結部材１４でプレストレスが付与されることにより自立した擁壁５が形成される。またＰＣパネル４同士が側面の接合部で回転自在になっているので、地山の形状に沿った擁壁、例えば湾曲状のものを形成することもできる。
【００１５】
またＰＣパネル４の背面における補強リブ１７にはアンカー材１０が設置され、これが盛土材６に埋設されている。このアンカー材１０はナット１８で補強リブ１７に接続された三本のアンボンド鋼線２４と、このアンボンド鋼線２４の先端側に設けた支圧板２５とからなり、この支圧板２５が三本のアンボンド鋼線２４を連結するように設置されている。
【００１６】
また盛土材６は種々の土質および混合土であり、斜面地山２と擁壁５との間に、補強材２６を介在させて投入することにより、盛土材６が積層された盛土層７を形成している。この盛土材６は１段のＰＣパネル４ごとに投入され、その上面および前面を補強材２６で覆うことにより積層され、一段ごとにＰＣパネル４からのアンカー材１０が埋設されている。このように盛土層７は、前面と上面とがジオテキスタイルなどの補強材２６で覆われた盛土材６が積層されて形成されている。
【００１７】
また各盛土材６はＰＣパネル４の背面との間、すなわち補強材２６で覆われた前面との間に適宜間隙部８をもって投入され、この間隙部８に土圧軽減緩衝材９が充填されている。すなわち盛土材６をＰＣパネル４の背面に接する箇所まで投入せずに、土圧軽減緩衝材９を投入する間隙部８を形成する位置まで投入するものであり、この土圧軽減緩衝材９を介してＰＣパネル４の背面に接している。
【００１８】
また補強材２６は網状のジオテキスタイルの他に、例えば、鋼材、防錆した金網、合成樹脂や繊維性のシート材や網体などがあり、補強材２６と盛土材６との間に働く摩擦力または付着力により盛土材６の引張り抵抗を高めて、盛土材６内のクラックの発生を効果的に防止するとともに、盛土層７全体のせん断強度を大きく向上させる。また補強材２６はＰＣパネル４の背面に固定することもできる。
【００１９】
また土圧軽減緩衝材９はＰＣパネル４に作用する盛土材６の土圧を軽減するものであり、気泡混合土、発泡材またはウレタン材が使用される。このように土圧軽減緩衝材９を介して盛土材６がＰＣパネル４と接合されるため、盛土材６の土圧を軽減するとともに、盛土材６との接合を良好にする。
【００２０】
次に、盛土構造物の構築方法について説明する。まず、盛土予定地の斜面地山２における下部地盤２７内に埋設孔２８を削孔し、この埋設孔２８にグラウト２９を注入した後、アンカーボルト３０を圧入する。
【００２１】
次に、グラウト２９の養生期間中にコンクリート基礎３を現場打ちコンクリートまたはプレキャストコンクリートで構築する。そして、このコンクリート基礎３のアンカー貫通孔３１にアンカーボルト３０を挿入し、このアンカーボルト３０を緊張してコンクリート基礎３を下部地盤２７に固定する。またコンクリート基礎３の連結部材挿入孔３２に連結部材１４の下端部を挿入するとともに、その一部を上方へ突出させる。
【００２２】
次に、コンクリート基礎３から突出した連結部材１４の一部に他の連結部材１４を連結して、ＰＣパネル４の貫通孔１６を貫通できる長さにする。そして、この連結部材１４をＰＣパネル４の貫通孔１６に挿入してＰＣパネル４をコンクリート基礎３に設置した後、連結部材１４を緊張定着してＰＣパネル４をコンクリート基礎３上に定着し、これを順次繰り返して横方向に連続的に接合した１段目のＰＣパネル４を形成する。
【００２３】
次に、この１段目のＰＣパネル４の背面における補強リブ１７にアンカー材１０を接合して、斜面地山２側に配置する。そして、この斜面地山２とＰＣパネル４との間に盛土材６を、ＰＣパネル４の背面との間に適宜間隙部８を形成するようにして、ＰＣパネル４の上面まで投入する。
【００２４】
次に、この盛土材６の上面と、間隙部８側の前面とにジオテキスタイルなどの補強材２６を敷設する。そして、この間隙部８に土圧軽減緩衝材９である気泡混合土、発泡材またはウレタン材を投入すると、盛土材６が土圧軽減緩衝材９を介してＰＣパネル４の背面に接するとともに、アンカー材１０が盛土材６中に埋設されて、一段目の盛土材６が形成される。
【００２５】
そして、このような作業を順次繰り返すと、図１に示すような、自立した擁壁５と、盛土材６を積層した盛土層７とからなる盛土構造物１が構築される。
【図面の簡単な説明】
【００２６】
【図１】盛土構造物の断面図である。
【図２】盛土構造物の下部の断面図である。
【図３】ＰＣパネルであり、（１）は平面図、（２）は正面図である。
【図４】（１）および（２）はＰＣパネルの縦方向の接合部の断面図である。
【図５】（１）および（２）はＰＣパネルの横方向の接合部の断面図である。
【図６】補強リブの断面図である。
【図７】盛土構造物の構築方法の断面図である。
【符号の説明】
【００２７】
１  盛土構造物
２  斜面地山
３  基礎
４  ＰＣパネル
５  擁壁
６  盛土材
７  盛土層
８  間隙部
９  土圧軽減緩衝材
１０  アンカー材
１１  定着部材
１２  プレート
１３、１８  ナット
１４  連結部材
１５  フープ筋
１６  貫通孔
１７  補強リブ
１９  スペース
２０、２２  嵌合突起
２１、２３  嵌合凹溝
２４  アンボンド鋼線
２５  支圧板
２６  補強材（ジオテキスタイル）
２７  下部地盤
２８  埋設孔
２９  グラウト
３０  アンカーボルト
３１  アンカー貫通孔
３２  連結部挿入孔
【図１】
2007277880.tif 000003
【図２】
2007277880.tif 000004
【図３】
2007277880.tif 000005
【図４】
2007277880.tif 000006
【図５】
2007277880.tif 000007
【図６】
2007277880.tif 000008
【図７】
2007277880.tif 000009